【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
画面を構成する文字列の文字サイズとして、少なくとも、第１の文字サイズ、該第１の文字サイズより小さい第２の文字サイズのいずれかを設定する設定手段と、
前記設定手段により設定された文字サイズがいずれの文字サイズであるかを判定する判定手段と、
前記判定手段により前記第１の文字サイズと判定された場合は、複数のメニュー項目に含まれるそれぞれのメニュー項目が、前記第１の文字サイズの文字列でメニュー項目を表示する第１の項目領域と、該第１の項目領域に対して前記文字列の並び方向に異なる位置に当該メニュー項目に関する設定状態を表示する第１の設定状態領域とを含む第１のメニュー画面を表示し、前記判定手段により前記第２の文字サイズと判定された場合は、複数のメニュー項目に含まれるそれぞれのメニュー項目が、前記第２の文字サイズの文字列によりメニュー項目を表示する領域であって、該文字列の並び方向の幅が前記第１の項目領域よりも狭い第２の項目領域と、前記文字列の並び方向に異なる位置に当該メニュー項目に関する設定状態を表示する領域であって、前記第１の設定状態領域よりも前記文字列の並び方向の幅の広い第２の設定状態領域とを含む第２のメニュー画面を表示するように制御する表示制御手段と、
を備えることを特徴とする表示制御装置。
【請求項２】
前記表示制御手段は、前記第１の項目領域には、同一項目を示す前記第２の項目領域に表示される文字列と同一の文字列の一部が省かれた文字列を表示するように制御することを特徴とする請求項１記載の表示制御装置。
【請求項３】
前記第１の項目領域に表示する文字列及び前記第２項目領域に表示する文字列を生成する生成手段を更に有し、
前記生成手段は、所定の解像度のフレームメモリに文字列を描画することで前記第１の文字サイズの文字列を生成し、前記所定の解像度とは異なる解像度のフレームメモリに文字列を描画することで前記第２の文字サイズの文字列を生成することを特徴とする請求項１または２に記載の表示制御装置。
【請求項４】
前記第１の文字サイズの文字列は、ラスタフォントデータを基に生成され、
前記第２の文字サイズの文字列は、前記ラスタフォントデータよりも小さいサイズのラスタフォントデータを基に生成されることを特徴とする請求項１乃至３のいずれか１項に記載の表示制御装置。
【請求項５】
前記第１の文字サイズの文字列は、ラスタフォントデータ、もしくは文字の骨格情報をベクタデータで備えたストロークフォントデータ、もしくは文字の輪郭情報をベクタデータで備えたアウトラインフォントデータのいずれかを基に生成され、
前記第２の文字サイズの文字列は、前記ラスタフォントデータ、もしくは前記ストロークフォントデータ、もしくは前記アウトラインフォントデータのいずれかを基に生成されることを特徴とする請求項１乃至３のいずれか１項に記載の表示制御装置。
【請求項６】
前記表示制御手段は、前記第１のメニュー画面には、各メニュー項目の前記設定状態を変更するための操作方法を表す文字列もしくは図記号を表示し、
前記第２のメニュー画面には、各メニュー項目について、現在の設定とは異なる選択肢の一部もしくは全部を表す文字列もしくは図記号が表示するように制御することを特徴とする請求項１乃至５のいずれか１項に記載の表示制御装置。
【請求項７】
前記表示制御手段は、当該表示制御装置が装備される機器に内蔵される表示装置と、前記表示制御装置が装備される機器に接続される外部表示装置とに表示することができることを特徴とする請求項１乃至６のいずれか１項に記載の表示制御装置。
【請求項８】
前記表示制御手段は、前記第１の設定状態領域および前記第２の設定状態領域に前記設定状態をアイコンとして表示し、前記第２の設定状態領域には前記第１の設定状態領域に表示されるアイコンよりも小さいアイコンで表示するように制御することを特徴とする請求項１乃至７のいずれか１項に記載の表示制御装置。
【請求項９】
前記表示制御手段は、前記第２の設定状態領域には、前記設定状態を前記アイコンに加えて文字列でも表示するように制御することを特徴とする請求項８に記載の表示制御装置。
【請求項１０】
前記表示制御装置は、撮像手段を有する撮像装置であり、前記複数のメニュー項目は撮像に関する設定を行うメニュー項目であることを特徴とする請求項１乃至９のいずれか１項に記載の表示制御装置。
【請求項１１】
画面を構成する文字列の文字サイズとして、少なくとも、第１の文字サイズ、該第１の文字サイズより小さい第２の文字サイズのいずれかを設定する設定ステップと、
前記設定手段により設定された文字サイズがいずれの文字サイズであるかを判定する判定ステップと、
前記判定ステップにより前記第１の文字サイズと判定された場合は、複数のメニュー項目に含まれるそれぞれのメニュー項目が、前記第１の文字サイズの文字列でメニュー項目を表示する第１の項目領域と、該第１の項目領域に対して前記文字列の並び方向に異なる位置に当該メニュー項目に関する設定状態を表示する第１の設定状態領域とを含む第１のメニュー画面を表示し、前記判定ステップにより前記第２の文字サイズと判定された場合は、複数のメニュー項目に含まれるそれぞれのメニュー項目が、前記第２の文字サイズの文字列によりメニュー項目を表示する領域であって、該文字列の並び方向の幅が前記第１の項目領域よりも狭い第２の項目領域と、前記文字列の並び方向に異なる位置に当該メニュー項目に関する設定状態を表示する領域であって、前記第１の設定状態領域よりも前記文字列の並び方向の幅の広い第２の設定状態領域とを含む第２のメニュー画面を表示するように制御する表示制御ステップと、
を有することを特徴とする表示制御装置の制御方法。
【請求項１２】
コンピュータを、請求項１乃至１０のいずれか１項に記載された表示制御装置の各手段として機能させるプログラム。
【請求項１３】
コンピュータを、請求項１乃至１０のいずれか１項に記載された表示制御装置の各手段として機能させるプログラムを格納するコンピュータ読み取り可能な記憶媒体。
【手続補正２】
【補正対象書類名】明細書
【補正対象項目名】発明の名称
【補正方法】変更
【補正の内容】
【発明の名称】表示制御装置、表示制御装置の制御方法、プログラム、及び記憶媒体
【手続補正３】
【補正対象書類名】明細書
【補正対象項目名】０００１
【補正方法】変更
【補正の内容】
【０００１】
本発明は、画面のサイズに制約がある撮像装置あるいは携帯電話機等の機器に適用される表示制御装置、表示制御装置の制御方法、プログラム、及び記憶媒体に関する。
【手続補正４】
【補正対象書類名】明細書
【補正対象項目名】０００７
【補正方法】変更
【補正の内容】
【０００７】
本発明の目的は、設定された文字の大小に応じた適切な表現により画面領域を有効活用することを可能とした表示制御装置、表示制御装置の制御方法、プログラム、及び記憶媒体を提供することにある。
【手続補正５】
【補正対象書類名】明細書
【補正対象項目名】０００８
【補正方法】変更
【補正の内容】
【０００８】
上述の目的を達成するために、本発明は、画面を構成する文字列の文字サイズとして、少なくとも、第１の文字サイズ、該第１の文字サイズより小さい第２の文字サイズのいずれかを設定する設定手段と、前記設定手段により設定された文字サイズがいずれの文字サイズであるかを判定する判定手段と、前記判定手段により前記第１の文字サイズと判定された場合は、複数のメニュー項目に含まれるそれぞれのメニュー項目が、前記第１の文字サイズの文字列でメニュー項目を表示する第１の項目領域と、該第１の項目領域に対して前記文字列の並び方向に異なる位置に当該メニュー項目に関する設定状態を表示する第１の設定状態領域とを含む第１のメニュー画面を表示し、前記判定手段により前記第２の文字サイズと判定された場合は、複数のメニュー項目に含まれるそれぞれのメニュー項目が、前記第２の文字サイズの文字列によりメニュー項目を表示する領域であって、該文字列の並び方向の幅が前記第１の項目領域よりも狭い第２の項目領域と、前記文字列の並び方向に異なる位置に当該メニュー項目に関する設定状態を表示する領域であって、前記第１の設定状態領域よりも前記文字列の並び方向の幅の広い第２の設定状態領域とを含む第２のメニュー画面を表示するように制御する表示制御手段と、を備えることを特徴とする。
【手続補正６】
【補正対象書類名】明細書
【補正対象項目名】０００９
【補正方法】変更
【補正の内容】
【０００９】
本発明によれば、設定された文字の大小に応じて適切な表現により画面領域を有効活用することが可能となる。
【手続補正７】
【補正対象書類名】明細書
【補正対象項目名】００３９
【補正方法】変更
【補正の内容】
【００３９】
タブ６０２の下側には、選択されている大項目に含まれる小項目名称６０４と、それぞれの小項目の設定状態アイコン６０５が表示されている。小項目名称６０４は、比較的大きなサイズの文字フォントで表現されている。設定状態アイコン６０５（図記号）は、小項目名称６０４の文字フォントとバランスを合わせた大きさのアイコンで表現されている。尚、設定状態は、アイコンではなく文字や文字列で表現しても構わないし、後述する設定状態名称６１０の表記の省略形となる文字列で表現しても構わない。
【手続補正８】
【補正対象書類名】明細書
【補正対象項目名】００７０
【補正方法】変更
【補正の内容】
【００７０】
タブ８０２の下側には、選択されている大項目に含まれる小項目名称８０４と、それぞれの小項目の設定状態アイコン８０５が表示されている。小項目名称８０４は、比較的大きなサイズの文字フォントで表現されている。設定状態アイコン８０５（図記号）は、小項目名称８０４の文字フォントとバランスを合わせた大きさのアイコンで表現されている。尚、設定状態は、アイコンではなく文字や文字列で表現しても構わない。